(57)【特許請求の範囲】
【請求項１】
開口部ＳＰを有し、フォーカシングに際して隣り合うレンズ群の間隔が変化する単焦点の光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.1159≦SUM（ΔθLN）＜0.250
なる条件式を満足することを特徴とする光学系。
【請求項２】
前記負レンズLNminの材料の部分分散比差をΔθLNmin、前記負レンズLNminのパワーをφLNmin、前記光学系のパワーをφとするとき、少なくとも１つの前記負レンズLNminについて、
-5.0×10-3 ＜ΔθLNmin×(φLNmin/(νLNmin×φ))＜-5.0×10-5
なる条件式を満足することを特徴とする請求項１に記載の光学系。
【請求項３】
前記負レンズLNmaxの材料の部分分散比差をΔθLNmax、前記負レンズLNmaxのパワーをφLNmax、前記光学系のパワーをφとするとき、少なくとも１つの前記負レンズLNmaxについて、
-5.0×10-4 ＜ΔθLNmax×(φLNmax/(νLNmax×φ))＜-5.0×10-5
なる条件式を満足することを特徴とする請求項１又は２に記載の光学系。
【請求項４】
前記正レンズLPの材料の部分分散比差の総和をSUM（ΔθLP）とするとき
（但し、正レンズLPが１つのときは該正レンズLPの材料の部分分散比差）、
-0.050＜SUM（ΔθLP）＜0.040
なる条件式を満足することを特徴とする請求項１乃至３のいずれか１項に記載の光学系。
【請求項５】
前記負レンズLNminの材料の部分分散比差をΔθLNmin、前記負レンズLNmaxの材料の部分分散比差をΔθLNmax、前記負レンズLNminが複数あるときは、そのパワーの総和、１つのときはそのパワーをSUM(φLNmin)、前記負レンズLNmaxが複数あるときは、そのパワーの総和、１つのときはそのパワーをSUM(φLNmax)とするとき、
【数１】
0005713763.tif 000006
なる条件式を満足することを特徴とする請求項１乃至４のいずれか１項に記載の光学系。
【請求項６】
前記正レンズＬＰは、前記負レンズLNlow又は前記負レンズLNhighと同一のレンズ群内にあることを特徴とする請求項１乃至５のいずれか１項に記載の光学系。
【請求項７】
前記光学系は、物体側から像側へ順に、負の屈折力の第１レンズ群、フォーカシングに際して移動する正の屈折力の第２レンズ群よりなることを特徴とする請求項１乃至６のいずれか１項の光学系。
【請求項８】
前記光学系は、物体側から像側へ順に、負の屈折力の第１レンズ群、フォーカシングに際して移動する正の屈折力の第２レンズ群、正の屈折力の第３レンズ群よりなることを特徴とする請求項１乃至６のいずれか１項の光学系。
【請求項９】
開口部ＳＰを有し、ズーミングに際して隣り合うレンズ群の間隔が変化する光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.1159≦SUM（ΔθLN）＜0.250
なる条件式を満足することを特徴とする光学系。
【請求項１０】
前記負レンズLNminの材料の部分分散比差をΔθLNmin、前記負レンズLNminのパワーをφLNmin、広角端における全系のパワーをφとするとき、少なくとも１つの前記負レンズLNminについて、
-5.0×10-3 ＜ΔθLNmin×(φLNmin/(νLNmin×φ))＜-5.0×10-5
なる条件式を満足することを特徴とする請求項９に記載の光学系。
【請求項１１】
前記負レンズLNmaxの材料の部分分散比差をΔθLNmax、前記負レンズLNmaxのパワーをφLNmax、広角端における全系のパワーをφとするとき、少なくとも１つの前記負レンズLNmaxについて、
-5.0×10-4 ＜ΔθLNmax×(φLNmax/(νLNmax×φ))＜-5.0×10-5
なる条件式を満足することを特徴とする請求項９又は１０に記載の光学系。
【請求項１２】
前記正レンズLPの材料の部分分散比差の総和をSUM（ΔθLP）とするとき
（但し、正レンズLPが１つのときは該正レンズLPの材料の部分分散比差）、
-0.050＜SUM（ΔθLP）＜0.040
なる条件式を満足することを特徴とする請求項９乃至１１のいずれか１項に記載の光学系。
【請求項１３】
前記負レンズLNminの材料の部分分散比差をΔθLNmin、前記負レンズLNmaxの材料の部分分散比差をΔθLNmax、前記負レンズLNminが複数あるときは、そのパワーの総和、１つのときはそのパワーをSUM(φLNmin)、前記負レンズLNmaxが複数あるときは、そのパワーの総和、１つのときはそのパワーをSUM(φLNmax)とするとき、
【数２】
0005713763.tif 000007
なる条件式を満足することを特徴とする請求項９乃至１２のいずれか１項に記載の光学系。
【請求項１４】
前記正レンズＬＰは、前記負レンズLNlow又は前記負レンズLNhighと同一のレンズ群内にあることを特徴とする請求項９乃至１３のいずれか１項に記載の光学系。
【請求項１５】
前記光学系は、物体側から像側へ順に、正の屈折力の第１レンズ群、負の屈折力の第２レンズ群、負の屈折力の第３レンズ群、正の屈折力の第４レンズ群からなり、ズーミングに際して前記第２乃至第４レンズ群が互いに異なる軌跡で移動することを特徴とする請求項９乃至１４のいずれか１項の光学系。
【請求項１６】
前記光学系は、物体側から像側へ順に、負の屈折力の第１レンズ群、正の屈折力の第２レンズ群、正の屈折力の第３レンズ群、正の屈折力の第４レンズ群、正の屈折力の第５レンズ群からなり、ズーミングに際して前記第２乃至第４レンズ群が互いに異なる軌跡で移動することを特徴とする請求項９乃至１４のいずれか１項の光学系。
【請求項１７】
請求項１乃至１６のいずれか１項に記載の光学系を有することを特徴とする光学機器。
【請求項１８】
開口部ＳＰを有し、ズーミングに際して隣り合うレンズ群の間隔が変化する光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.065＜SUM（ΔθLN）＜0.250
なる条件式を満足し、前記光学系は、物体側から像側へ順に、正の屈折力の第１レンズ群、負の屈折力の第２レンズ群、負の屈折力の第３レンズ群、正の屈折力の第４レンズ群からなり、ズーミングに際して前記第２乃至第４レンズ群が互いに異なる軌跡で移動することを特徴とする光学系。
【請求項１９】
開口部ＳＰを有し、ズーミングに際して隣り合うレンズ群の間隔が変化する光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.065＜SUM（ΔθLN）＜0.250
なる条件式を満足し、前記光学系は、物体側から像側へ順に、負の屈折力の第１レンズ群、正の屈折力の第２レンズ群、正の屈折力の第３レンズ群、正の屈折力の第４レンズ群、正の屈折力の第５レンズ群からなり、ズーミングに際して前記第２乃至第４レンズ群が互いに異なる軌跡で移動することを特徴とする光学系。
【発明の詳細な説明】
【技術分野】
【０００１】
本発明は光学系及びそれを有する光学機器に関し、例えばスチルカメラ、ビデオカメラ、プロジェクター、放送用テレビカメラ、監視カメラ等に好適なものである。
【背景技術】
【０００２】
近年、ビデオカメラ等の撮像装置に用いられる撮像光学系やプロジェクター等の画像投影装置に使用される投射光学系は、画素数の増加（高画素化）や画素の高密度化（高密度画素）によって、それに耐え得る高画質で高性能な光学系であることが要望されている。高画素化及び高密度画素に対応するには光学系の諸収差のうち、特に倍率色収差を良好に補正することが重要である。プロジェクターに用いられている光学系として、最も物体側に負の屈折力のレンズ群を配置し、全体として５つのレンズ群より成るネガティブリード型のズームレンズが知られている（特許文献１）。
【０００３】
このズームレンズは、物体側から像側へ順に負の屈折力の第１レンズ群、変倍用及び変倍に伴う像面変動を補正するために相互に関係を持って移動する正の屈折力の第２レンズ群乃至第４レンズ群、変倍の際に固定で正の屈折力の第５レンズ群より成っている。このズームレンズにおいて、ズーム全域に渡って倍率色収差の補正を良好に行なうために、第１レンズ群の負レンズは部分分散比が比較的大きい硝材を用いている。撮像装置に用いる光学系として、物体側から像側へ順に、正の屈折力の第１レンズ群、負の屈折力の第２レンズ群、正の屈折力の第３レンズ群より成り、高画素、高密度に対応したポジティブリード型のズームレンズが知られている（特許文献２）。
【０００４】
特許文献２ではズーム全域に渡って倍率色収差を補正するために、第２レンズ群の負レンズに部分分散比が比較的が大きい硝材を用いている。また撮影距離全域に渡って倍率色収差を補正するために、開口絞りよりも物体側の負レンズにアッベ数に対して比較的部分分散比θｇＦの値が大きい硝材を用いているレトロフォーカス型の単焦点レンズが知られている（特許文献３、４）。
【先行技術文献】
【特許文献】
【０００５】
【特許文献１】特開２００４−０２０７６５号公報
【特許文献２】特開２００２−１３１６４０号公報
【特許文献３】特開２００８−１２９４０３号公報
【特許文献４】特開２００３−３０７６７２号公報
【発明の概要】
【発明が解決しようとする課題】
【０００６】
画素数の更なる増加、高密度化して、例えば8000×4000ピクセルもの画素数を要求するスーパーハイビジョン相当に用いる光学系には、諸収差量が極めて少ないことが求められている。
【０００７】
特に倍率色収差においては、ｄ線基準におけるＣ線とＦ線間の倍率色収差量だけでなく、ｇ線とＦ線間の倍率色収差量においても極めて少ないことが求められている。このｇ線とＦ線間の倍率色収差量を低減するためには、使用硝材の異常分散性（アッベ数と部分分散比（θgFの値）との関係）に注目する必要がある。
【０００８】
特許文献１乃至４に挙げたこれらの光学系は、この倍率色収差を補正するために、軸上最大光束径を決定している開口部ＳＰよりも物体側に負の屈折力を有するレンズ群を配置し、そのレンズ群内の倍率色収差の補正方法に着目していた。ここで「軸上最大光束径を決定している開口部」とは、物体距離が無限遠にあるときの軸上光束（主光線が光軸上を進む光束）において、Ｆナンバーを決定している開口部のことを指す。
【０００９】
一般的には開口絞りがその開口部ＳＰの役割を担うことが多いが、機構上の開口絞りが無いズームレンズにおいては、鏡筒の一部分や特定のレンズの外径で決める場合もある。その時は鏡筒の一部分やレンズの外径を軸上最大光束径を決定している開口部ＳＰとしている。しかし、特許文献１乃至４において、開示されている内容の中には使用硝材の部分分散比（θgF）に関する記述はされていない。そこで屈折率とアッベ数から相当する材料を一般的なガラス材料に当てはめると次の如くになる。
【００１０】
特許文献１においては、負の屈折力を有する第１レンズ群の負レンズの材料を低分散な硝材と高分散な材料で構成することで、Ｃ線とＦ線間の倍率色収差を補正しつつ、高分散性でｇ線とＦ線間の倍率色収差も低減させている。使用硝材の部分分散比が開示されていないが、屈折率とアッベ数から見て、例えば株式会社オハラ社製のガラスで例に挙げると、実施例３の第１レンズ群の最初の負レンズには商品名Ｓ−ＦＰＬ５１相当の硝材を使用していると考えられる。また、２番目の負レンズには商品名Ｓ−ＮＰＨ１相当の硝材を使用していると考えられる。
【００１１】
これらは他のガラス材料に比較して異常分散性が大きい硝材である。この構成では倍率色収差の補正が必ずしも十分でない。
【００１２】
特許文献２においては、負の屈折力を有する第２レンズ群の負レンズの材料を低分散な硝材と高分散な材料で構成することで、Ｃ線とＦ線間の倍率色収差を補正しつつ、高分散性でｇ線とＦ線間の倍率色収差も低減させている。使用硝材の部分分散比が開示されていないが、屈折率とアッベ数から見て、例えば、実施例１の第２レンズ群の最初の負レンズには、株式会社ＨＯＹＡ社製のガラスで例に挙げると商品名Ｅ−ＦＤＳ１相当の硝材を使用していると考えられる。また、２番目の負レンズには株式会社オハラ社製のガラスで例に挙げると商品名Ｓ−ＦＳＬ５相当の硝材を使用していると考えられる。
【００１３】
商品名Ｅ−ＦＤＳ１は他のガラス材料に比較して異常分散性が大きい硝材であるが、商品名Ｓ−ＦＳＬ５は異常分散性が小さい硝材である。このため倍率色収差の補正の課題が必ずしも十分でない。
【００１４】
特許文献３においては、負の屈折力を有する第１レンズ群の負レンズの材料を主に低分散でかつ部分分散比差ΔθgFが正の方向に大きい硝材で構成している。これにより、Ｃ線とＦ線間の倍率色収差を補正しつつ、ｇ線とＦ線間の倍率色収差も低減させている。使用硝材の部分分散比が開示されていないが、屈折率とアッベ数から見て、例えば株式会社オハラ社製のガラスで例に挙げると、実施例５の第１レンズ群の最初の負レンズ乃至４番目の負レンズまでは商品名Ｓ−ＦＰＬ５３相当の硝材を使用していると考えられる。また、５番目の負レンズにはＳ−ＮＰＨ２相当の硝材を使用していると考えられる。
【００１５】
これらは他のガラス材料に比較して部分分散比が大きく、異常分散特性を有した硝材である。高分散材料を使用した負レンズが開口部ＳＰの隣に配置されており、ｇ線とＦ線間の倍率色収差が残留している。このため倍率色収差の補正が必ずしも十分でない。特許文献４においては、開口絞りより物体側の負レンズに低分散材料と高分散材料を使用している。しかしながら倍率色収差の補正が必ずしも十分でない。
【００１６】
本発明は、Ｃ線とＦ線間の倍率色収差だけでなく、ｇ線とＦ線間の倍率色収差も良好に補正しつつ画面全体に渡って良好なる光学性能を有する光学系及びそれを有する撮像装置の提供を目的とする。
【課題を解決するための手段】
【００１７】
本発明の光学系は、開口部ＳＰを有し、フォーカシングに際して隣り合うレンズ群の間隔が変化する単焦点の光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.1159≦SUM（ΔθLN）＜0.250
なる条件式を満足することを特徴としている。
この他本発明の光学系は、開口部ＳＰを有し、ズーミングに際して隣り合うレンズ群の間隔が変化する光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.1159≦SUM（ΔθLN）＜0.250
なる条件式を満足することを特徴としている。
また本発明の光学系は、開口部ＳＰを有し、ズーミングに際して隣り合うレンズ群の間隔が変化する光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.065＜SUM（ΔθLN）＜0.250
なる条件式を満足し、前記光学系は、物体側から像側へ順に、正の屈折力の第１レンズ群、負の屈折力の第２レンズ群、負の屈折力の第３レンズ群、正の屈折力の第４レンズ群からなり、ズーミングに際して前記第２乃至第４レンズ群が互いに異なる軌跡で移動することを特徴としている。
また本発明の光学系は、開口部ＳＰを有し、ズーミングに際して隣り合うレンズ群の間隔が変化する光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.065＜SUM（ΔθLN）＜0.250
なる条件式を満足し、前記光学系は、物体側から像側へ順に、負の屈折力の第１レンズ群、正の屈折力の第２レンズ群、正の屈折力の第３レンズ群、正の屈折力の第４レンズ群、正の屈折力の第５レンズ群からなり、ズーミングに際して前記第２乃至第４レンズ群が互いに異なる軌跡で移動することを特徴としている。
【発明の効果】
【００１８】
本発明によれば、Ｃ線とＦ線間の倍率色収差だけでなく、ｇ線とＦ線間の倍率色収差も良好に補正しつつ画面全体に渡って良好なる光学性能を有する光学系が得られる。
【図面の簡単な説明】
【００１９】
【図１】実施例１の光学系のレンズ断面図
【図２】実施例１の光学系の収差図
【図３】実施例２の光学系の広角端におけるレンズ断面図
【図４】（Ａ）、（Ｂ）  実施例２の光学系の広角端と望遠端における収差図
【図５】実施例３の光学系の広角端におけるレンズ断面図
【図６】（Ａ）、（Ｂ）  実施例３の光学系の広角端と望遠端における収差図
【図７】実施例４の光学系のレンズ断面図
【図８】実施例４の光学系の収差図
【図９】一般硝材の各波長における屈折率変化をｄ線基準で示した図
【図１０】横軸をνd、縦軸θgFで示したガラスマップと標準線を示した図
【図１１】本発明の光学機器の要部概略図
【発明を実施するための形態】
【００２０】
以下に、本発明の好ましい実施の形態を添付の図面に基づいて詳細に説明する。本発明の光学系は、単一焦点距離レンズやズームレンズ等であり、軸上最大光束径を決定する開口部ＳＰ（光学系がズームレンズの場合は広角端のズーム位置において）よりも物体側に１以上の負の屈折力のレンズ群ＧＬＮを有している。ここでレンズ群とは次のとおりである。光学系が単一焦点距離よりなるときは、光学系の最前面又は前方に位置するレンズとの間隔がフォーカシングで変化する面から最後面又は後方に位置するレンズとの間隔がフォーカシングで変化する面までに含まれる単一レンズ又は複数のレンズの集合体をいう。また光学系がズームレンズのときは、ズーミングに際して変化するレンズ間隔によって分けられる１以上のレンズを含むレンズ集合体をいう。
【００２１】
レンズ群ＧＮＬに含まれる全てのレンズの数や、負レンズの数、そして負レンズの材料（アッベ数、部分分散比差、屈折率差）等を適切に設定して倍率色収差を良好に補正している。図１は本発明の実施例１の光学系の無限遠物体に合焦したときのレンズ断面図である。図２は本発明の実施例１の光学系の無限遠物体に合焦したときの収差図である。図３は本発明の実施例２の光学系の無限遠物体に合焦したときの広角端（短焦点距離）におけるレンズ断面図である。図４（Ａ）、（Ｂ）は本発明の実施例２の光学系の無限遠物体に合焦したときの広角端と望遠端（長焦点距離端）における収差図である。
【００２２】
図５は本発明の実施例３の光学系の無限遠物体に合焦したときの広角端におけるレンズ断面図である。図６（Ａ）、（Ｂ）は本発明の実施例３の光学系の無限遠物体に合焦したときの広角端と望遠端における収差図である。図７は本発明の実施例４の光学系の無限遠物体に合焦したときのレンズ断面図である。図８は本発明の実施例４の光学系の無限遠物体に合焦したときの収差図である。図９、図１０は硝材の屈折率、アッベ数、部分分散比等の説明図である。図１１は本発明の光学系を一眼レフカメラ（光学機器）に適用したときの要部概略図である。
【００２３】
各レンズ断面図において、Ｌ０は光学系である。ＳＰは開口絞りである。Ｌ１は第１レンズ群、Ｌ２は第２レンズ群、Ｌ３は第３レンズ群、Ｌ４は第４レンズ群、Ｌ５は第５レンズ群である。Ｇはプリズムである。ＳＰは軸上最大光束径を決定する開口部（開口絞り）であり、Ｆナンバーを決定する開口絞りに相当している。ＧＮＬは開口絞りＳＰよりも物体側に位置する負の屈折力のレンズ群である。本発明の光学系においてレンズ群とは、光学系の最前面又は前方に隣接するレンズとの間隔がズーミング又はフォーカシングで変化する面から光学系の最後面又は後方に隣接するレンズとの間隔がズーミング又はフォーカシングで変化する面までに含まれる単一レンズ又は複数のレンズよりなる集合体を意味する。
【００２４】
ＩＰは像面であり、ビデオカメラやデジタルカメラに適用する際には像を受光するＣＣＤセンサやＣＭＯＳセンサ等の固体撮像素子（光電変換素子）の撮像面が、銀塩フィルム用カメラに適用する際にはフィルム面に相当する。またプロジェクター等の画像投影装置に適用する際には液晶パネル等の画像表示素子に相当する。
【００２５】
収差図において、ｄ、ｇ、Ｃ、Ｆは順に、ｄ線、ｇ線、Ｃ線、Ｆ線である。Ｍ、Ｓはメリディオナル像面、サジタル像面。ＦｎｏはＦナンバー、ωは半画角である。収差図において、図２の実施例１と図８の実施例４においては球面収差は０．０３ｍｍ、非点収差は０．０３ｍｍ、歪曲は２％、倍率色収差は０．００４ｍｍのスケールで描かれている。
【００２６】
また、図４の実施例２においては球面収差は０．０２ｍｍ、非点収差は０．０２ｍｍ、歪曲は５％、倍率色収差は０．００４ｍｍのスケールで描かれている。また、図６の実施例３においては球面収差は０．０２ｍｍ、非点収差は０．０２ｍｍ、歪曲は２％、倍率色収差は０．００２ｍｍのスケールで描かれている。尚、以下の各実施例の光学系において光学系がズームレンズの場合は、広角端と望遠端は移動するレンズ群が機構上光軸上を移動可能な範囲の両端に位置したときのズーム位置をいう。
【００２７】
次に本発明の光学系の特徴について説明する。従来より撮像もしくは画像投影に利用する光学系は、種々と知られている。これらの光学系の多くは、軸上最大光束径を決定している開口部ＳＰよりも物体側に１以上の負の屈折力を有するレンズ群を有している。このようなレンズ構成の光学系において、高画質化を進めるためには、倍率色収差の補正を良好に行うことが重要である。
【００２８】
従来の倍率色収差の補正では、ｄ線基準でＣ線とＦ線間の倍率色収差を補正しても、像高の高い位置（画角の大きい位置）ではｇ線とＦ線間の倍率色収差が残存してしまう。このため、例えばスーパーハイビジョン画質を前提にした場合、画面全域で高い空間周波数まで解像させることが困難であった。ｇ線とＦ線間の倍率色収差が何故残存してしまうかというと、主に以下のようなメカニズムによる。
【００２９】
一般的に、レンズに使用されているような光学材料は、波長における屈折率変化の度合いをｄ線基準で見た場合、ｄ線より長波長側の屈折率変化よりも、短波長側の屈折率変化の方が大きい。図９はこれを株式会社オハラ社製のガラス材料を例にとって可視化した説明図である。
【００３０】
屈折率変化の割合は高分散材料（アッベ数νの小さな材料）になればなるほど顕著になる。この光学特性により、単純にｄ線を基準としてＣ線とＦ線間の倍率色収差を補正しても、ｇ線とＦ線間の倍率色収差が残存してしまう。特に像高が高い位置になるにつれてｇ線とＦ線間の倍率色収差の乖離量が増加する。このため従来のズームレンズにおける広角端におけるズーム位置やレトロフォーカスタイプの光学系では光軸付近から最大像高にかけてｇ線の倍率色収差がプラス方向に曲がっていく。
【００３１】
本発明者はこのｇ線とＦ線間の倍率色収差量（短波長の倍率色収差の曲がり量）を低減するため、硝材の異常分散性（異常部分分散比）（材料間のアッベ数と部分分散比（θgFの値）との関係）に着目した。
【００３２】
ここで材料のアッベ数νは次のとおりである。今、Ｆ線（４８６．１ｎｍ）、ｄ線（５８７．６ｎｍ）、Ｃ線（６５６．３ｎｍ）に対する材料の屈折率をそれぞれＮＦ、Ｎｄ、ＮＣとする。このとき
ν＝（Ｎｄ−１）／（ＮＦ−ＮＣ）
また、異常分散性とは、材料の部分分散比θgFの値と図１０で示すようなガラスマップ上で示される「標準線」上のθgF値との差を示すもので、ΔθgF（部分分散比差とも言う）で表わす。部分分散比差ΔθgFの絶対値が大きくなればなるほどその材料の「異常分散性が大きい」という。「標準線」の定義は、以下の数式（ａ）で定義する直線であり、部分分散比差ΔθgFは以下の数式（ｂ）で定義する値である。
【００３３】
θgF＝-1.61783×10-3×ν＋0.64146      ・・・式（ａ）
ΔθgF ＝θgF−（-1.61783×10-3×ν＋0.64146）      ・・・式（ｂ）
例えばｇ線の倍率色収差が像高が高くなればなる程プラス方向に曲がっていく光学系において、ｇ線とＦ線間の倍率色収差の乖離量を小さくするためには、次のような方法を用いれば良い。
【００３４】
光学系において、軸上最大光束径を決定している開口部ＳＰ(ズームレンズの場合は広角端のズーム位置)よりも物体側の負の屈折力を有するレンズ群に含まれる負レンズに、部分分散比ΔθgFが正の方向に大きい材料を用いれば良い。こうすることで、標準線上付近に位置する一般的な硝材よりもｇ線を大きく画面の中心（光軸）方向に屈折させることができるため、他のレンズで発生した短波長側の倍率色収差を補正することができる。
【００３５】
ここまでで、部分分散比差ΔθgFが正の方向に大きい材料を負レンズに用いることでｇ線とＦ線間の倍率色収差の乖離量を低減させるメカニズムを説明した。しかし同じ値の部分分散比差ΔθgFでもアッベ数で見ると高分散な材料と低分散な材料が存在する。そこで高分散材料と低分散材料を使用した場合で何が異なってくるかを考える。
【００３６】
例えば部分分散比差ΔθgFが正の方向に大きく高分散な材料ばかりを負レンズに用いるとする。負レンズに高分散な材料ばかりを使用していると、その高分散性により、比較的弱いパワーでｇ線とＦ線間の倍率色収差の乖離量は低減できる。しかしＣ線とＦ線間の倍率色収差の補正に関しては逆に働いてしまい補正することができない。更には前述したようにｇ線とＦ線間の倍率色収差を補正するには比較的弱いパワーで済むため、レンズの仕様で決まっているパワーを満たそうとすれば、レンズの枚数が多く必要になってしまう。
【００３７】
そこで開口部ＳＰよりも物体側の負の屈折力を有するレンズ群の負レンズの内、一部を高分散でかつ部分分散比差ΔθgFが正の方向に大きい硝材を用いる。そして一部（もしくは残り全部）を低分散でかつ部分分散比差ΔθgFが正の方向に大きい硝材を用いれば良い。こうすることで高分散材料よりなる負レンズも低分散材料よりなる負レンズも部分分散比差ΔθgFが正の方向に大きいため、ｇ線とＦ線間の倍率色収差の乖離量を小さくでき、る。そして低分散材料よりなる負レンズでＣ線とＦ線間の倍率色収差の補正も行うことができる。
【００３８】
しかし、種々の光学系において、像高が高い位置での倍率色収差を補正するためには、軸外主光線がレンズの周辺部を通る負レンズに部分分散比差ΔθgFが正の方向に大きな材料を使用する必要がある。例えば、開口部ＳＰ付近のレンズでは、軸外主光線もレンズの中心付近を通過する。このため、そこに部分分散比差ΔθgFが正の方向に大きな材料で構成した負レンズを配置しても、倍率色収差を良好に補正することが難しい。もし補正できたとしても、軸上色収差とのバランスが取れず、結果的に解像できる空間周波数が落ちてしまい画面全域で高解像な光学系を得ることが難しい。
【００３９】
よってある程度開口部ＳＰから離れた位置で、軸外主光線がレンズの周辺部を通るような位置に部分分散比差ΔθgFが正の方向に大きな負レンズを配置する必要がある。そして高分散材料よりなる負レンズは低分散材料よりなる負レンズに比べて、ｇ線とＦ線間の倍率色収差の乖離量の補正効果が大きい。このため、効果的にｇ線とＦ線間の倍率色収差を補正するためにも、特に高分散材料よりなる負レンズは、開口部ＳＰから離れた位置に配置する必要がある。
【００４０】
倍率色収差を補正するために必要な異常分散性の大きさの正確な値はレンズタイプによって異なるが、目標を達成するためには非常に大きい異常分散性が必要となる。これは、開口部ＳＰよりも物体側の負の屈折力を有するレンズ群に含まれる負レンズの内、２割や３割程度の負レンズを前述した部分分散比差ΔθgFが正の方向に大きい負レンズに置き換えて間に合うものでは無い。
【００４１】
今回実施した光学系によれば、現状の材料で目標を達成するためには７割以上を部分分散比差ΔθgFが正の方向に大きい負レンズにすることが好ましいことがわかった。そうすることで負の屈折力の有するレンズ群全体として異常分散性が大きくなり、他のレンズ群で発生する倍率色収差を補正することができる。
【００４２】
ここまでで負の屈折力を有するレンズ群内の負レンズにおける倍率色収差の補正メカニズムについて説明した。しかしながら、負の屈折力を有するレンズ群内には負レンズばかりではなく、正レンズも１枚以上は有している必要がある。これは正レンズと負レンズにて負の屈折力を有するレンズ群内の収差補正を行うためである。ここで言う収差補正とは前述した倍率色収差の補正ばかりでなく、球面収差やコマ収差などの他の基本収差も含まれる。負の屈折力を有するレンズ群内のレンズ構成はパワーの関係上負レンズが支配的になっている。
【００４３】
しかしながら、負レンズばかりで構成するとその負レンズで発生した収差をキャンセル（補正）させる作用を他のレンズ群に全て任せることになる。もちろんレンズ群間のキャンセル作用で最終的に像面上で収差を低減できていれば良いが、良好なる画質の像を得るためには、レンズ群間のキャンセル関係だけでは現実的に達成できる収差量ではない。よってレンズ群内でもできる限り収差補正を行う必要がある。
【００４４】
そこで負の屈折力を有するレンズ群内でもレンズ群内の収差補正を行うために、負レンズだけでなく、少なくとも１枚の正レンズが必要となる。そこで本発明の光学系では、開口部ＳＰよりも物体側の負の屈折力を有するレンズ群の負レンズの数や位置、そして分散特性を適切に設定することにより他の収差とのバランスも取りつつ、倍率色収差を良好に補正している。
【００４５】
次に各実施例の光学系の構成について説明する。各実施例の光学系Ｌ０は、軸上最大光束径を決定している開口部ＳＰ(光学系がズームレンズの場合は広角端のズーム位置)よりも物体側に１以上の負の屈折力を有するレンズ群ＧＬＮを有している。
【００４６】
レンズ群GLNに含まれる負レンズの材料の部分分散比差とアッベ数を各々ΔθLN、νLNとする。このとき、
0.006＜ΔθLN
60＜νLN
を満たす負レンズを負レンズLNlow、その負レンズLNlowの数をSUM(LNlow)とする。
【００４７】
0.006＜ΔθLN
νLN＜25
を満たす負レンズを負レンズLNhigh、その負レンズLNhighの数をSUM(LNhigh)とする。
【００４８】
レンズ群GLNに含まれるレンズの数をSUM(L)、レンズ群GLNに含まれる負レンズの数をSUM(LN)とする。レンズ群GLNに含まれる負レンズの材料の部分分散比差の総和をSUM(ΔθLN)とする。レンズ群GLNに含まれる負レンズのうち材料のアッベ数が最小の負レンズを負レンズLNmin、そのアッベ数をνLNminとする。アッベ数が最大の負レンズを負レンズLNmax、そのアッベ数をνLNmaxとする。レンズ群GLNは正レンズLPを有し、正レンズLPの材料のアッベ数をνLPとする。負レンズLNhighの物体側の面頂点と前記開口部ＳＰとの距離をdNS、最も物体側のレンズ面頂点と前記開口部ＳＰとの距離をd1Sとする。
【００４９】
このとき、
0.60＜SUM(LN)/SUM(L)＜1.00                  ・・・（１）
0.70＜(SUM(LNlow) + SUM(LNhigh))/SUM(LN)    ・・・（２）
νLNmin＜ νLP ＜νLNmax                      ・・・（３）
3.50＜νLNmax/νLNmin＜6.50                  ・・・（４）
0.30＜dNS/d1S≦1.00                            ・・・（５）
0.065＜SUM（ΔθLN）＜0.250                    ・・・（６）
なる条件式を満足している。
【００５０】
次に前述の各条件式の技術的意味について説明する。条件式（１）は開口部ＳＰよりも物体側に位置する負の屈折力を有するレンズ群ＧＬＮ内のレンズ数における負レンズの割合に関する。全体として負の屈折力を有するレンズ群の中には、前述したようにレンズ群内の収差キャンセル関係を作るために正レンズも少なくとも１枚必要である。しかし、正レンズの数の割合が増えていくと、収差のキャンセル関係を保つ解の自由度は増えるが、それだけ負レンズのパワーを強くする必要が出てくる。負レンズのパワーを強くするということは、それだけ収差が更に発生してしまうことを意味する。
【００５１】
これを防ぐためには、正レンズと負レンズのパワーバランスと収差バランスを適切に保つことを考慮する必要がある。そうすると、負の屈折力を有するレンズ群全体の中で、負レンズがある一定の割合以上を有している必要がでてくる。
【００５２】
負レンズの割合が条件式（１）の下限値を下回ると正レンズの割合が増えすぎるため、その分負レンズのパワーを強くする必要があり、この結果収差量の絶対値が増加してしまう。そうなるとレンズ群内の収差補正が難しくなり、レンズ群間の収差補正に頼るようになってしまう。そうなるとレンズ全体として目標を達成する収差量に補正することが難しくなり好ましくない。もしくは負レンズのパワーを強くしないように正レンズのパワーを緩い状態で複数使うことになる。そうすると、その分レンズ全長が伸びてしまい好ましくない。
【００５３】
一方条件式（１）の値が１となると、負の屈折力を有するレンズ群内の全てのレンズが負レンズとなる。このためレンズ群内の収差補正の関係を作ることができないので好ましくない。条件式（１）は更に好ましくは次の如く設定するのが良い。
【００５４】
0.62＜SUM(LN)/SUM(L)＜1.00                    ‥‥‥（１ａ）
条件式（２）は負の屈折力を有するレンズ群ＧＬＮの負レンズの中でも、部分分散比差ΔθgFが正の方向に大きい値を有する負レンズの割合に関する。前述したように倍率色収差を補正するために必要な異常分散性の大きさの正確な値はレンズタイプによって異なるが、目標を達成するためには非常に大きい異常分散性が必要となる。よって条件式（２）の下限値を下回ると、負の屈折力を有するレンズ群全体としての異常分散性が不足し、目標を達成すことが難しくなってしまう。条件式（２）は更に好ましくは次の如く設定するのが良い。
【００５５】
0.75＜(SUM(LNlow) + SUM(LNhigh))/SUM(LN)       ‥‥‥（２ａ）
条件式（３）は負の屈折力を有するレンズ群GLNに含まれる正レンズＬＰの材料のアッベ数に関する。
【００５６】
正レンズＬＰは低分散材料よりなる負レンズと高分散材料よりなる負レンズとの関係により、レンズ群内のＣ線とＦ線間の倍率色収差を補正する役割がある。正レンズＬＰの材料のアッベ数が条件式（３）の上限値または下限値を越えると、負の屈折力を有するレンズ群内の正レンズの材料が高分散になりすぎる、または低分散になりすぎることになる。そうすると現状の取りうる硝材では負の屈折力を有するレンズ群内でＣ線とＦ線間の倍率色収差を補正しつつ、ｇ線とＦ線間の倍率色収差を補正する正レンズと負レンズの組み合わせが難しくなってくる。
【００５７】
条件式（４）は負の屈折力を有するレンズ群ＧＬＮ中の負レンズの材料のアッベ数の最大と最小のアッベ数の比に関する。負レンズの材料のアッベ数比が条件式（４）の上限値を上回ると、低分散側の負レンズではｇ線とＦ線間の倍率色収差を効果的に行うためにはパワーが強くなりすぎてしまう。また高分散側ではパワーが弱くなりすぎてしまう。このため、色収差以外の球面収差等との補正を両立するのが難しくなってくる。
【００５８】
一方条件式（４）の下限値を下回ると、負レンズの低分散側もしくは高分散側のどちらかの負レンズの部分分散比差ΔθgFが小さくなってしまう。そうすると、ｇ線とＦ線間の倍率色収差を効果的に行うためには部分分散比差ΔθgFがより小さい負レンズのパワーを強くしなければならなくなり、色収差以外の球面収差等との補正が難しくなってくる。条件式（４）は更に好ましくは次の如く設定するのが良い。
【００５９】
3.75＜νLNmax/νLNmin＜6.50                    ‥‥‥（４ａ）
また更に好ましくは条件式（４ａ）は次の如く設定するのが良い。
【００６０】
4.00＜νLNmax/νLNmin＜6.50                    ‥‥‥（４ｂ）
条件式（５）は負の屈折力を有するレンズ群ＧＬＮ中の最小アッベ数を取る負レンズの配置位置に関する。前述したように、ｇ線とＦ線間の倍率色収差を効果的に補正するためには、負の屈折力を有するレンズ群の中でも、軸外主光線がレンズの周辺位置を通るような位置に高分散で部分分散比差ΔθgFが正の大きい値を取る負レンズを配置するのが良い。
【００６１】
そこで条件式（５）の下限値を下回ると、開口部ＳＰ近傍に高分散材料よりなる負レンズを配置することになり、軸外主光線がレンズ周辺をほとんど通らない位置となる。そのような場所に配置してしまうと、ｇ線とＦ線間の倍率色収差を補正するためには高分散材料よりなる負レンズにより強いパワーをつけなければならなくなり、球面収差の補正が難しくなる。
【００６２】
条件式（５）の上限値は最も物体側に高分散材料より成る負レンズを配置することを意味しているため、上限値を超えることは無い。尚、本発明の光学系としてズームレンズの実施例においては、広角端での倍率色収差を効果的に補正するため、「表−１」の計算に使用しているdNSは広角端での数値を示している。条件式（５）は更に好ましくは次の如く設定するのが良い。
【００６３】
0.35＜dNS/d1S≦1.00                              ‥‥‥（５ａ）
条件式（６）は負の屈折力を有するレンズ群ＧＬＮ中の負レンズの部分分散比差ΔθgFの値に関する。
【００６４】
負レンズの部分分散比差ΔθgFの総和が条件式（６）の上限値を上回ると、より弱いパワーでｇ線とＦ線間の倍率色収差を補正することができるが、負の屈折力を有するレンズ群の全体のパワーも弱くなる。このため、良好なる光学性能を得るためにはより多くのレンズが必要となり、光学系そのものが大型化するため好ましくない。
【００６５】
一方条件式（６）の下限値を下回ると、ｇ線とＦ線間の倍率色収差を効果的に補正しようとすると、負レンズにより強いパワーが必要となる。そうなると、コマ収差や像面湾曲の補正が難しくなってくる。条件式（６）は更に好ましくは次の如く設定するのが良い。
【００６６】
0.075＜SUM（ΔθLN）＜0.250                  ‥‥‥（６ａ）
更に好ましくは条件式（６ａ）は次の如く設定するのが良い。
【００６７】
0.080＜SUM（ΔθLN）＜0.200                  ‥‥‥（６ｂ）
また更に好ましくは条件式（６ｂ）は次の如く設定するのが良い。
【００６８】
0.090＜SUM（ΔθLN）＜0.200 ‥‥‥（６ｃ）
この他、好ましくは条件式（６）は
0.1159≦SUM（ΔθLN）＜0.250‥‥‥（６ｄ）
の如く設定するのが良い。
以上のような構成とすることで本発明の目的とする光学系は達成されるが、更に好ましくは次に述べる条件のうち少なくとも１つを満足するのが良く、これによれば更なる高い光学性能が得られる。負レンズLNminの材料の部分分散比差をΔθLNmin、負レンズLNminのパワーをφLNminとする。負レンズLNmaxの材料の部分分散比差をΔθLNmax、負レンズLNmaxのパワーをφLNmaxとする。正レンズLPの材料の部分分散比差の総和をSUM（ΔθLP）とする（但し、正レンズLPが１つのときは該正レンズLPの材料の部分分散比差）。
【００６９】
負レンズLNminの材料の部分分散比差をΔθLNminとする。負レンズLNmaxの材料の部分分散比差をΔθLNmaxとする。負レンズLNminが複数あるときは、そのパワーの総和、１つのときはそのパワーをSUM(φLNmin)とする。負レンズLNmaxが複数あるときは、そのパワーの総和、１つのときはそのパワーをSUM(φLNmax)とする。光学系のパワー（光学系がズームレンズのときは広角端におけるパワー）をφとする。このとき、
-5.0×10-3 ＜ΔθLNmin×(φLNmin/(νLNmin×φ))＜-5.0×10-5    ・・・（７）
-5.0×10-4 ＜ΔθLNmax×(φLNmax/(νLNmax×φ))＜-5.0×10-5    ・・・（８）
-0.050＜SUM（ΔθLP）＜0.040                                    ・・・（９）
【００７０】
【数１】
0005713763.tif 000002
【００７１】
なる条件式のうち１以上を満足するのが良い。条件式（７）は負レンズLNminの材料の色収差の補正力に関する。条件式（７）の上限値を上回ると、高分散側の負レンズLNminの色収差の補正力が小さくなってしまうため、主にｇ線とＦ線間の倍率色収差が残存してしまう。一方、条件式（７）の下限値を下回ると、高分散側の負レンズLNminの色収差の補正力が強くなりすぎてしまうため、ｇ線とＦ線間の倍率色収差が補正過剰となり、そしてＣ線とＦ線間の倍率色収差が補正不足となってしまうため好ましくない。条件式（７）は更に好ましくは次の如く設定するのが良い。
【００７２】
-2.5×10-3 ＜ΔθLNmin×(φLNmin/(νLNmin×φ))＜-5.5×10-5    ・・・(７ａ)
条件式（８）は負レンズLNmaxの色収差の補正力に関する。条件式（８）の上限値を上回ると、低分散側の負レンズLNmaxの色収差の補正力が小さくなってしまうため、主にＣ線とＦ線間の倍率色収差が残存してしまう。一方、条件式（８）の下限値を下回ると、低分散側の負レンズLNmaxの色収差の補正力が強くなりすぎてしまうため、Ｃ線とＦ線間の倍率色収差が補正過剰となってしまうため好ましくない。条件式（８）は更に好ましくは次の如く設定するのが良い。
【００７３】
-3.0×10-4 ＜ΔθLNmax×(φLNmax/(νLNmax×φ))＜-6.5×10-5  ・・・(８ａ)
条件式（９）は負の屈折力を有するレンズ群ＧＬＮ中の正レンズLPの材料の部分分散比差の総和に関する。条件式（９）は正レンズＬＰが１つのときは、１つの正レンズＬＰの材料の部分分散比差である。条件式（９）の上限値を上回ると、正レンズＬＰの部分分散比のθgFの値が大きくなってしまう。そうすると負レンズLNlowや負レンズLNhighで補正したｇ線とＦ線間の倍率色収差を逆補正してしまうため、最終的に倍率色収差が補正不足となるので好ましくない。
【００７４】
一方、条件式（９）の下限値を下回ると、ｇ線とＦ線間の倍率色収差が補正過剰となってしまうため好ましくない。条件式（９）は更に好ましくは次の如く設定するのが良い。
【００７５】
-0.040＜SUM（ΔθLP）＜0.030      ‥‥‥(９ａ)
条件式（１０）は負の屈折力を有するレンズ群ＧＬＮ中の負レンズの色収差の補正力と、そのアッベ数比による倍率色収差の補正のバランスに関する。条件式（１０）の上限値を上回ると、負レンズのパワーが強くなりすぎたり、負レンズの材料の部分分散比θgFの値が高くなりすぎたりするので、色収差補正と像面湾曲やコマ収差補正とをバランス良く補正するのが難しくなる。一方、条件式（１０）の下限値を下回ると、負レンズの色収差の補正力が弱くなり、主にｇ線とＦ線間の倍率色収差が残存してしまうため好ましくない。条件式（１０）は更に好ましくは次の如く設定するのが良い。
【００７６】
【数２】
0005713763.tif 000003
【００７７】
また、正レンズＬＰは、負レンズLNlowもしくは負レンズLNhighと同一レンズ群内にあることが好ましい。正レンズＬＰは前述の通り、負レンズLNlowと負レンズLNhighの材料とのアッベ数のバランスを取り、色収差も補正している。このため負レンズLNlowや負レンズLNhighと位置関係上、光軸方向に離れすぎると色収差と基本収差とのバランスを取ることが難しくなるため好ましくない。以上のように各実施例によれば画面内全体に渡って倍率色収差を補正し、高い光学性能を持った光学系が得られる。
【００７８】
次に各実施例の光学系における構成について説明する。図１の実施例１の光学系Ｌ０は、負の屈折力の第１レンズ群Ｌ１、フォーカス用の正の屈折力の第２レンズ群Ｌ２で構成されている単焦点レンズである。無限遠物体から有限距離物体へのフォーカシングは、第２レンズ群Ｌ２を物体側に移動して行なっている。第１レンズ群Ｌ１はレンズ群ＧＬＮに相当している。
【００７９】
開口絞りＳＰは第２レンズ群Ｌ２中に設けており、フォーカシングに際しては第２レンズ群Ｌ２と一体となって移動している。軸上最大光束径を決定する開口部と開口絞りＳＰは一致している。第１レンズ群Ｌ１の最も物体側の負レンズから数えて３枚目の負レンズの像側の面と、第２レンズ群Ｌ２の最も像側のレンズの物体側の面は非球面形状である。
【００８０】
図３の実施例２の光学系Ｌ０は、正の屈折力の第１レンズ群Ｌ１、負の屈折力の第２レンズ群Ｌ２、負の屈折力の第３レンズ群Ｌ３を有している。第３レンズ群Ｌ３の像側には更に、正の屈折力の第４レンズ群Ｌ４を有する４群ズームレンズである。広角端から望遠端にかけてのズーミングに際して矢印の如く、第２レンズ群Ｌ２乃至第４レンズ群Ｌ４は、独立に移動している。即ちズーミングに際して隣り合うレンズ群の間隔が変化する。
【００８１】
具体的には第２レンズ群Ｌ２が光軸上を像側へ移動し、第３レンズ群Ｌ３は、一度物体側へ移動した後に、像側へ戻るような軌跡で移動している。また第４レンズ群Ｌ４は第３レンズ群Ｌ３との間隔が変化するように独立に移動している。第２レンズ群Ｌ２と第３レンズ群Ｌ３はレンズ群ＧＬＮに相当している。開口絞りＳＰは第３レンズ群Ｌ３と第４レンズ群Ｌ４の間に設けており、ズーミングに際して第４レンズ群Ｌ４と一体となって移動している。開口部と開口絞りＳＰは一致している。
【００８２】
第２レンズ群Ｌ２の最も物体側の負レンズの物体側の面と、２枚目の負レンズの物体側の面と、２枚目の正レンズの物体側の面、そして第４レンズ群Ｌ４の最も物体側のレンズの物体側の面は非球面形状である。尚、無限遠物体から有限距離物体へのフォーカシングに際して第１レンズ群Ｌ１の一部のレンズ群（最も物体側から５枚目のレンズから７枚目のレンズまで）を像面側へ移動させることで行なっている。
【００８３】
図５の実施例３の光学系Ｌ０は、負の屈折力の第１レンズ群Ｌ１、正の屈折力の第２レンズ群Ｌ２、正の屈折力の第３レンズ群Ｌ３を有している。第３レンズ群Ｌ３の像側には更に、正の屈折力の第４レンズ群Ｌ４、正の屈折力の第５レンズ群Ｌ５を有する５群ズームレンズである。広角端から望遠端にかけてのズーミングに際して、矢印の如く第２レンズ群Ｌ２乃至第４レンズ群Ｌ４は独立に移動している。具体的には第２レンズ群Ｌ２乃至第４レンズ群Ｌ４は、いずれも光軸上を物体側へ移動し、各レンズ群の間隔を変化させている。第１レンズ群Ｌ１は負レンズＧＬＮに相当している。
【００８４】
開口絞りＳＰは第３レンズ群Ｌ３と第４レンズ群Ｌ４との間に設けており、ズーミングに際して第４レンズ群Ｌ４と一体となって移動している。開口部と開口絞りＳＰは一致している。第１レンズ群Ｌ１の最も物体側の負レンズから数えて、２枚目の負レンズの物体側の面と、第３レンズ群Ｌ３の最も像側のレンズの像側の面は非球面形状である。尚、無限遠物体から有限距離物体へのフォーカシングに際しては第１レンズ群Ｌ１の一部のレンズ群（最も物体側から４枚目のレンズと５枚目のレンズまで）を像側へ移動させることで行なっている。
【００８５】
図７の実施例４の光学系Ｌ０は、負の屈折力の第１レンズ群Ｌ１、フォーカス用の正の屈折力の第２レンズ群Ｌ２、そして正の屈折力の第３レンズ群Ｌ３で構成されている単焦点レンズである。無限遠物体から有限距離物体へのフォーカシングに際しては、第２レンズ群Ｌ２を像側に移動して行なっている。第１レンズ群Ｌ１は負レンズＧＬＮに相当している。実施例４での軸上最大光束径を決定している開口部は第３レンズ群Ｌ３の最も物体側のレンズの物体側の面の有効部である。開口部とはこの面を指す。第１レンズ群Ｌ１の最も物体側の負レンズから数えて３枚目の負レンズの像側の面と、第３レンズ群Ｌ３の最も像側のレンズの物体側の面は非球面形状である。
【００８６】
以下に本発明の実施例１乃至４に対応する数値実施例１乃至４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。θgFは部分分散比、ΔθgFは部分分散比差を表す。ｆ、fno、２ωはそれぞれ無限遠物体に焦点を合わせたときの全系の焦点距離、Ｆナンバー、画角（度）を表している。非球面形状は光軸方向にＸ軸、光軸と垂直方向にＨ軸、光の進行方向を正、Ｒを近軸曲率半径、ｋを離心率、A4、A6、A8、A10を各々非球面係数としたとき、
【００８７】
【数３】
0005713763.tif 000004
【００８８】
なる式で表している。また例えば「ｅ−Ｚ」の表示は「１０−Ｚ」を意味する。そして、前述の各条件式と数値実施例における諸数値との関係を（表−１）に示す。
【００８９】
（数値実施例１）
f=1.00mm  Fno=2.90  ２ω=113.44
面番号       r        d      nd       νd    有効径      θgF      ΔθgF
1          2.480    0.14   1.59282  68.6     4.66    0.54461    0.01428 LNlow
2          1.865    0.58                     3.72
3          2.041    0.14   1.49700  81.5     3.70    0.53859    0.02916 LNlow
4          1.436    0.92                     2.87
5          2.369    0.14   1.43875  94.9     2.84    0.53463    0.04681 LNlow
6(非球面)  0.752    0.77                     2.25
7          4.710    0.35   1.92286  18.9     2.19    0.64947    0.03858 LNhigh
8          1.540    0.45                     1.83
9          3.352    0.35   1.91082  35.3     1.82    0.58243   -0.00201 LP
10         -7.811    0.28                     1.76
11        -84.070    0.14   1.80100  35.0     1.49
12          1.446    0.33   1.72047  34.7     1.35
13         -2.619    0.07                     1.32
14         -2.765    0.35   1.61800  63.3     1.20
15          0.749    0.40   1.65412  39.7     1.01
16         -2.906    0.51                     1.01
17(絞り)    ∞       0.04                     0.94
18          6.257    0.17   1.83400  37.2     0.93
19          1.500    0.03                     0.90
20          1.250    0.40   1.49700  81.5     0.92
21         -0.682    0.14   1.83400  37.2     0.90
22        -52.074    0.01                     0.98
23          5.967    0.36   1.49700  81.5     1.00
24         -0.921    0.01                     1.04
25(非球面) -2.299    0.19   1.71736  29.5     1.00
26         -1.883    2.82                     1.11
像面        ∞   
非球面データ
第6面
K =-6.69359e-001  A 4=-2.60000e-002  A 6=-3.48578e-002  A 8= 6.37046e-003 
A10=-5.45424e-002  
第25面
K = 5.48470e+000  A 4=-1.89495e-002  A 6= 4.81412e-003  A 8=-9.22734e-003 
A10=-1.01663e-001  
各種データ
ズーム比      1.00 
焦点距離       1.00  
Fナンバー      2.90  
画角          56.72  
像高           1.52  
レンズ全長    10.11  
BF             2.82  
入射瞳位置     2.46  
射出瞳位置    -1.51  
前側主点位置   3.23  
後側主点位置   1.82  
レンズ群データ
群  始面    焦点距離  レンズ構成長  前側主点位置  後側主点位置
1    1      -2.39         3.85         0.83         -3.42
2   11       2.41         3.16         2.06         -0.60
単レンズデータ
レンズ  始面  焦点距離
1       1    -13.85
2       3    -10.57
3       5     -2.58
4       7     -2.62
5       9      2.61
6      11     -1.77
7      12      1.34
8      14     -0.92
9      15      0.95
10      18     -2.40
11      20      0.95
12      21     -0.83
13      23      1.63
14      25     12.18
【００９０】
（数値実施例２）
f= 1.00〜11.48mm  Fno=1.84〜2.05  ２ω=75.9〜7.76
面番号       r        d      nd       νd     有効径      θgF      ΔθgF
1          11.177    0.37   1.73400  51.5    13.32    0.54839   -0.00980
2           7.192    3.11                    11.59
3         204.281    0.32   1.69680  55.5    11.34    0.54343   -0.00821
4          18.784    1.98                    10.76
5         -15.507    0.31   1.65160  58.5    10.62    0.54178   -0.00497
6          25.511    0.02                    10.59
7          17.953    1.24   1.80518  25.4    10.66    0.61655    0.01623
8        -113.389    0.94                    10.62
9         -20.727    0.54   1.49700  81.5    10.50    0.53859    0.02916
10         -15.889    0.19                    10.48
11         -76.473    2.06   1.49700  81.5    10.10    0.53859    0.02916
12          -8.971    0.35   1.73800  32.3     9.92    0.59029    0.00104
13         -13.382    1.61                    10.04
14          61.275    0.37   1.72342  38.0     9.97    0.58342    0.00336
15          10.539    1.94   1.49700  81.5     9.86    0.53859    0.02916
16         -54.892    0.02                     9.89
17          16.340    1.91   1.43387  95.1    10.17    0.53728    0.04975
18         -18.618    0.02                    10.17
19          14.086    0.75   1.59282  68.6     9.75    0.54461    0.01428
20          37.477  (可変)                     9.66
21(非球面) -22.295    0.29   1.43875  94.9     4.56    0.53463    0.04681 LNlow
22           3.022    1.07                     3.69
23(非球面)3995.497    0.19   1.43875  94.9     3.48    0.53463    0.04681 LNlow
24           3.931    0.43                     3.31
25          13.951    0.86   1.63980  34.5     3.32    0.59213    0.00644 LP
26          -3.451    0.19   1.59282  68.6     3.30    0.54461    0.01428 LNlow
27         -28.532    0.08                     3.25
28(非球面)  -9.967    0.37   1.48749  70.2     3.24    0.53026    0.00244 LP
29          -8.111    0.24   1.80809  22.8     3.19    0.63070    0.02607 LNhigh
30         -18.461  (可変)                     3.18
31          -8.436    0.17   1.77250  49.6     3.49    0.55234   -0.00885
32          40.422    0.28   1.84666  23.9     3.60    0.62172    0.01890 LP
33         -34.593  (可変)                     3.65
34(絞り)     ∞       0.15                     3.79
35(非球面)   7.235    0.70   1.67003  47.2     3.96
36          -8.150    0.19   1.49700  81.5     3.97
37           4.469    0.10                     3.94
38           4.565    0.85   1.48749  70.2     3.99
39         -11.928    0.18   1.90200  25.1     3.99
40         -25.432    4.27                     4.00
41          84.223    0.55   1.80809  22.8     3.98
42          -6.705    0.02                     4.00
43          -8.889    0.19   1.90200  25.1     3.96
44           4.814    0.87   1.49700  81.5     3.98
45         -16.281    0.02                     4.07
46          19.030    0.29   1.80809  22.8     4.15
47         -65.680    0.17                     4.16
48           6.568    1.07   1.49700  81.5     4.20
49          -5.253    0.18   1.90200  25.1     4.15
50          17.112    0.02                     4.19
51          10.778    0.65   1.80809  22.8     4.22
52          -9.011  (可変)                     4.22
53           ∞       4.87   1.69680  55.5     3.64
54           ∞       1.85   1.51633  64.1     2.46
55           ∞       0.96                     1.96
像面         ∞   
非球面データ
第21面
K =-1.07833e+002  A 4= 3.89165e-003  A 6=-7.96461e-005  A 8=-1.70228e-005 
A10= 3.25679e-006  A12=-1.30597e-007  
第23面
K =-1.16441e+012  A 4=-1.34932e-002  A 6=-1.17875e-003  A 8= 1.20580e-004 
A10= 3.80923e-006  
第28面
K =-1.37233e+001  A 4= 7.05637e-003  A 6= 6.58471e-004  A 8=-2.84426e-005 
A10=-1.08753e-005  A12= 1.02944e-006  
第35面
K =-9.25857e+000  A 4= 2.01826e-003  A 6=-1.81310e-004  A 8= 5.41586e-006 
A10= 1.07780e-006  A12=-1.27891e-007  
各種データ
ズーム比     11.48 
焦点距離       1.00     3.16     5.75     8.71    11.48  
Fナンバー      1.84     1.84     1.84     1.84     2.05  
画角          37.95    13.86     7.73     5.12     3.88  
像高           0.78     0.78     0.78     0.78     0.78  
レンズ全長    55.02    55.02    55.02    55.02    55.02  
BF             0.96     0.96     0.96     0.96     0.96  
d20            0.38     8.21    10.66    11.92    12.57  
d30           12.80     3.07     0.55     0.19     0.68  
d33            0.31     2.15     2.20     1.32     0.20  
d52            1.13     1.19     1.20     1.19     1.18  
入射瞳位置    10.10    18.52    25.60    32.00    36.70  
射出瞳位置    89.75    89.69    89.68    89.69    89.70  
前側主点位置  11.11    21.80    31.71    41.56    49.67  
後側主点位置  -0.04    -2.20    -4.79    -7.75   -10.53  
ズームレンズ群データ
群  始面    焦点距離  レンズ構成長  前側主点位置  後側主点位置
1    1      10.63        18.04        12.74          7.56
2   21      -3.96         3.74         0.49         -2.41
3   31     -15.46         0.45        -0.10         -0.34
4   34       7.32        10.48         7.89         -6.51
G   53       ∞           6.73         2.05         -2.05
単レンズデータ
レンズ  始面  焦点距離
1       1    -28.61
2       3    -29.71
3       5    -14.76
4       7     19.33
5       9    132.06
6      11     20.25
7      12    -38.17
8      14    -17.65
9      15     17.97
10      17     20.39
11      19     37.62
12      21     -6.05
13      23     -8.97
14      25      4.41
15      26     -6.64
16      28     83.83
17      29    -18.09
18      31     -9.02
19      32     22.05
20      35      5.83
21      36     -5.78
22      38      6.89
23      39    -25.06
24      41      7.71
25      43     -3.44
26      44      7.58
27      46     18.29
28      48      6.06
29      49     -4.44
30      51      6.16
G      53      0.00
G      54      0.00
【００９１】
（数値実施例３）
f= 1.00〜1.35mm  Fno=3.06〜3.10  ２ω=71.96〜56.68°
面番号       r        d      nd       νd    有効径      θgF      ΔθgF
1          1.929    0.07   1.49700  81.5     2.21    0.53859    0.02916 LNlow
2          1.198    0.25                     1.92
3(非球面)  2.131    0.10   1.49700  81.5     1.88    0.53859    0.02916 LNlow
4          1.081    0.51                     1.64
5         -4.132    0.07   1.92286  18.9     1.60    0.64947    0.03858 LNhigh
6          2.947    0.63                     1.57
7          3.707    0.33   1.80100  35.0     1.82    0.58621    0.00131 LP
8         -3.757    0.01                     1.81
9         10.689    0.07   1.56907  71.3     1.74    0.54511    0.01902 LNlow
10          2.058  (可変)                     1.68
11          3.079    0.15   1.84666  23.9     1.68
12          6.118  (可変)                     1.66
13          4.171    0.15   1.84666  23.9     1.64
14         42.539    0.75                     1.62
15         -1.755    0.07   1.73800  32.3     1.29
16          2.184    0.25   1.48749  70.2     1.30
17         -3.408    0.01                     1.32
18          8.468    0.21   1.67790  54.9     1.32
19(非球面) -1.910  (可変)                     1.32
20(絞り)    ∞       0.49                     0.92
21          1.849    0.24   1.75520  27.5     0.88
22         -1.129    0.10   1.83400  37.2     0.89
23          1.226    0.80                     0.90
24         -5.445    0.38   1.49700  81.5     1.50
25         -1.046    0.01                     1.56
26         -1.222    0.07   1.80440  39.6     1.56
27         -1.891    0.07                     1.67
28          2.319    0.38   1.49700  81.5     1.90
29         -6.164  (可変)                     1.90
30          6.269    0.07   1.85026  32.3     1.86
31          1.435    0.48   1.56907  71.3     1.79
32         -6.007    0.18                     1.79
33          ∞       1.80   1.51633  64.1     1.75
34          ∞       0.00                     1.58
35          ∞       1.29   1.69680  55.5     1.58
36          ∞       0.10                     1.47
像面        ∞   
非球面データ
第3面
K = 4.74760e-001  A 4= 4.57093e-002  A 6= 2.12410e-002  A 8=-1.28841e-002 
A10= 1.47164e-002  
第19面
K =-1.21961e-002  A 4=-2.34158e-003  A 6= 5.87571e-003  A 8=-1.98211e-002 
A10= 1.82450e-002  
各種データ
ズーム比      1.35 
広角     中間     望遠
焦点距離       1.00     1.18     1.35  
Fナンバー      3.06     3.08     3.10  
画角          35.98    31.62    28.34  
像高           0.73     0.73     0.73  
レンズ全長    11.55    11.55    11.55  
BF             0.10     0.10     0.10  
d10            0.28     0.12     0.12  
d12            1.11     0.60     0.04  
d19            0.04     0.61     1.11  
d29            0.04     0.13     0.19  
入射瞳位置     1.58     1.61     1.65  
射出瞳位置   -16.56   -16.78   -16.94  
前側主点位置   2.52     2.70     2.89  
後側主点位置  -0.90    -1.07    -1.24  
ズームレンズ群データ
群  始面    焦点距離  レンズ構成長  前側主点位置  後側主点位置
1    1      -1.53         2.03         0.35         -1.55
2   11       7.16         0.15        -0.08         -0.16
3   13       3.96         1.44         1.02         -0.37
4   20       3.37         2.55         2.50          0.79
5   30      27.25         3.82         0.69         -1.77
単レンズデータ
レンズ  始面  焦点距離
1       1     -6.57
2       3     -4.56
3       5     -1.85
4       7      2.38
5       9     -4.49
6      11      7.16
7      13      5.45
8      15     -1.31
9      16      2.77
10      18      2.32
11      21      0.96
12      22     -0.69
13      24      2.53
14      26     -4.51
15      28      3.44
16      30     -2.20
17      31      2.08
G      33      0.00
G      35      0.00
【００９２】
（数値実施例４）
f=1.00mm  Fno=2.90  ２ω=113.44
面番号       r        d      nd       νd    有効径      θgF      ΔθgF
1          2.589    0.14   1.59282  68.6     4.67    0.54461    0.01428 LNlow
2          1.836    0.63                     3.65
3          2.053    0.14   1.49700  81.5     3.56    0.53859    0.02916 LNlow
4          1.444    0.85                     2.84
5          2.497    0.14   1.43875  94.9     2.76    0.53463    0.04681 LNlow
6(非球面)  0.705    0.92                     2.13
7        -13.566    0.35   1.92286  18.9     2.05    0.64947    0.03858 LNhigh
8          3.318    0.28                     1.86
9          4.072    0.35   1.91082  35.3     1.81    0.58243   -0.00201 LP
10        -19.119    0.07                     1.74
11          2.580    0.14   1.80100  35.0     1.59
12          0.919    0.44   1.72047  34.7     1.37
13         -3.910    0.05                     1.33
14         -2.255    0.35   1.61800  63.3     1.31
15          0.748    0.36   1.65412  39.7     0.98
16         -3.186    0.55                     0.98
17(ＳＰ)    3.859    0.17   1.83400  37.2     0.90
18          1.185    0.01                     0.86
19          1.206    0.34   1.49700  81.5     0.87
20         -0.617    0.14   1.83400  37.2     0.87
21        -66.074    0.01                     0.96
22          5.536    0.36   1.49700  81.5     1.00
23         -0.885    0.01                     1.13
24(非球面) -2.103    0.19   1.71736  29.5     1.21
25         -1.534    2.84                     1.31
像面        ∞   
非球面データ
第6面
K =-6.91642e-001  A 4=-4.64563e-002  A 6=-6.07658e-002  A 8= 7.97044e-003 
A10=-6.22218e-002  
第24面
K = 3.01727e+000  A 4=-2.55570e-002  A 6= 7.40902e-003  A 8=-1.58247e-003 
A10=-7.77952e-002  
焦点距離       1.00  
Fナンバー      2.90  
画角          56.72  
像高           1.52  
レンズ全長     9.85  
BF             2.84  
入射瞳位置     2.35  
射出瞳位置    -1.38  
前側主点位置   3.11  
後側主点位置   1.84  
レンズ群データ
群  始面    焦点距離  レンズ構成長  前側主点位置  後側主点位置
1    1      -1.36         3.81         1.32         -2.09
2   11       2.79         1.34         0.42         -0.49
3   17       3.17         1.24         1.23          0.64
単レンズデータ
レンズ  始面  焦点距離
1       1    -11.45
2       3    -10.61
3       5     -2.29
4       7     -2.86
5       9      3.71
6      11     -1.85
7      12      1.07
8      14     -0.87
9      15      0.96
10      17     -2.11
11      19      0.88
12      20     -0.75
13      22      1.56
14      24      6.93
【００９３】
【表１】
0005713763.tif 000005
【００９４】
次に実施例１〜４に示した光学系をデジタル一眼レフカメラ等の光学機器に適用した実施例を図１１を用いて説明する。図１１は一眼レフカメラの要部概略図である。図１１において１０は実施例１〜４の光学系を有する撮影レンズである。光学系１は保持部材である鏡筒２に保持されている。２０はカメラ本体であり、撮影レンズ１０からの光束を上方に反射するクイックリターンミラー３、撮影レンズ１０の像形成位置に配置された焦点板４を有している。更に焦点板４に形成された逆像を正立像に変換するペンタダハプリズム５、その正立像を拡大結像するための接眼レンズ６等を有している。
【００９５】
７は感光面であり、ＣＣＤセンサやＣＭＯＳセンサ等の固体撮像素子（光電変換素子）や銀塩フィルムが配置される。撮影時にはクイックリターンミラー３が光路から退避して感光面７上に撮影レンズ１０によって像が形成される。本発明の光学系はプロジェクターやＴＶカメラ等にも適用することができる。
【符号の説明】
【００９６】
Ｌ０は光学系  Ｌ１は第１レンズ群  Ｌ２は第２レンズ群  Ｌ３は第３レンズ群
Ｌ４は第４レンズ群  Ｌ５は第５レンズ群  ＳＰは開口絞り
【図１】
0005713763.tif 000008
【図２】
0005713763.tif 000009
【図３】
0005713763.tif 000010
【図４】
0005713763.tif 000011
【図５】
0005713763.tif 000012
【図６】
0005713763.tif 000013
【図７】
0005713763.tif 000014
【図８】
0005713763.tif 000015
【図９】
0005713763.tif 000016
【図１０】
0005713763.tif 000017
【図１１】
0005713763.tif 000018